(57)【要約】【課題】個別の排水構造がなくても樹木葬用納骨管内への水の侵入を最低限に抑え得るサークル型樹木葬集合墓の提供【解決手段】基礎砕石層１０の全周に沿って基礎砕石層１０上に配置され内周縁が無端リングＰＧ１により規定された基礎コンクリート層２０と、蓋付で下端開口が基礎砕石層１０につながった樹木葬用納骨管３０を無端リングＰＧ１よりも内側に多数個リング状に基礎砕石層１０上に並べてなる樹木葬用納骨管群３と、基礎砕石層１０の上面のうち基礎コンクリート層２０及び多数個の納骨管３０以外の部分Ｚ３を覆っている中央コンクリート層４５と、リング状の納骨管群３よりも内側において中央コンクリート層４５の上面から基礎砕石層１０の下面よりも下まで延びた排水管４０と、無端リングＰＧ１に対応する壁面６０ｂの領域内で中央部が高くなり納骨管群３を覆うように小山８０状に充填された土砂層８０ａとを有する。【選択図】図１
0003212073.tif 000002
【実用新案登録請求の範囲】
【請求項１】
第一の無端リングの形態の外周縁によって規定された基礎砕石層と、
該基礎砕石層の外周部に沿い且つ該基礎砕石層の全周にわたって該基礎砕石層上に配置され内周縁が第二の無端リングにより規定された基礎コンクリート層と、
蓋付で下端が前記基礎砕石層につながるように開口した筒状の樹木葬用納骨管を第二の無端リングから間隔をおいた内側に多数個リング状に前記基礎砕石層上に並べてなる樹木葬用納骨管群と、
前記第二の無端リング内に位置する、前記基礎砕石層の、上面のうち前記基礎コンクリート層及び前記多数個の樹木葬用納骨管によって覆われた部分以外の部分を覆っている中央コンクリート層と、
リング状の前記樹木葬用納骨管群よりも内側において中央コンクリート層の上面から前記基礎砕石層の下面よりも下まで延びた排水管と、
前記第二の無端リングに対応する壁面により外周縁が規定された領域内において中央部が高くなり前記樹木葬用納骨管群を覆うように小山状に充填された土砂層と
を有するサークル型樹木葬集合墓。
【請求項２】
多数の周壁形成石が前記基礎コンクリート層上に全体としてリング状に配置されると共にアンカーを介して該基礎コンクリート層に固定されており、
該多数の周壁形成石により形成されたリング状領域内において、前記樹木葬用納骨管群を覆うように前記土砂層が充填されている請求項１に記載のサークル型樹木葬集合墓。
【請求項３】
前記第一の無端リングの中央部と各樹木葬用納骨管とを結ぶ仮想線の延長上で且つ前記周壁形成石の上に氏名板が配置され、該仮想線上で該氏名板と前記納骨管との間で且つ前記小山状土砂層上に家名板が配置されている請求項２に記載のサークル型樹木葬集合墓。
【請求項４】
前記第一の無端リングの中央部にモニュメントが配置されている請求項２又は３に記載のサークル型樹木葬集合墓。
【請求項５】
前記第一の無端リングの中央部にシンボルツリーが配置されている請求項２又は３に記載のサークル型樹木葬集合墓。
【請求項６】
シンボルツリーの下に排水管が配設されている請求項５に記載のサークル型樹木葬集合墓。
【考案の詳細な説明】
【技術分野】
【０００１】
本考案は遺骨を自然に還し易い埋葬を行う樹木葬に係り、より詳しくは、輪状の樹木葬集合墓（以下では、「サークル型樹木葬集合墓」という）に係る。ここで、「輪状」ないし「サークル型」は、典型的には円形又は概ね円形であるけれども、外周縁が無端リング状である限り、楕円形や多角形（典型的には、概ね円形と言える程度の多角形（例えば八角形や１６角形等）であるけれども三角形や四角形でもよい）等どのような形状でもよい。
【背景技術】
【０００２】
全体として輪状のサークル型集合墓は知られている（特許文献１、非特許文献１）。
【０００３】
特許文献１では、図９に示したように、上層部１０３ａ及び下層部１０３ｂからなる墓石１０２を多数基輪状に配置し、各墓石１０２において上層部１０３ａ及び下層部１０３ｂの間で手前側に位置する側面の開口から奥向きに且つ斜め下向きに墓石１０２の下面まで延びた凹部１０４を形成し、下層部１０３ｂのうち凹部１０４の直下部分にカロート（納骨スペースないし納骨室）を設けることにより、カロートを広く確保できるようにした集合墓がサークル型集合墓１０１として提案されている。図９において、１０６はカロートの蓋、１０７は墓標プレート、１０８は隣接する墓石１０２，１０２の間の墓石区画部、ＰＡＰａは植栽領域である。
【０００４】
この提案のサークル型集合墓１０１は、カロートが地下部分に直接形成され遺骨を土に還すようにしている点で樹木葬に係るもので、このサークル型樹木葬集合墓の範疇に入るものの、墓石区画部１０８，０１８で区切られた各区画部内において実際上個別の墓石１０２による実際上個別の墓を形成してなるもので、実際上従来の個別の墓（いわゆる一般墓）を円形に配置して集合墓となしたもので、従来の一般墓とほとんど変わらないものである。
【０００５】
また、特許文献１の技術の場合、輪状の集合墓１であるが故に植栽領域ＰＡＰａや集合墓１の周囲の雨水等がカロートに侵入する虞が高まるものの、それに対する対処は示されていない。
【０００６】
一区画の面積を抑えるために壁を挟んだ両側に墓所を設けるようにした壁面墓所において、地下に位置するカロートの底部に排水孔を設けて共用の地下の排水管につなぐことによってカロートの湿気を抑えることは提案されている（特許文献２）。
【０００７】
この墓所は一群の墓所のカロート構造を共通にすることを前提としていることからして集合墓的な側面があるものの、この提案の墓所では、カロートが小さな排水孔以外では地下層とつながっておらず、遺骨を自然に還すものではない。なお、この墓所において、排水孔を欠けばカロート内の湿気が問題になることからして、この墓は地表面の雨水等がカロート内に入り込む虞れがある構造と思われる。
【０００８】
これに対して、一般墓においては、集合墓と異なり個々の墓の墓石としてどのような墓石構造を採るのかが予めわからず、まちまちであることから、隣接しつつ全体として列をなす各墓において個別に対処がなされる。一般墓において、従来一般的には、カロートは底部の少なくとも一部が地面になっていたけれども、カロートが地下にあると雨水が侵入して溜まりやすく、カビや虫が発生し易いことから、これを避けるべく、地上にカロートを設けることも種々提案されている（例えば、特許文献３）。
【０００９】
しかしながら、地上にカロートを設けることは、遺骨を自然に還すものではない。
【００１０】
一方、非特許文献１は、「大阪夢咲ガーデン」と名付けられた樹木葬専用霊苑で、多数の墓を全体として概ね八角形状の一重又は二重の輪状に配置したサークル型樹木葬集合墓が、樹木葬専用霊園の集合墓として示されている。ただし、ネット上で公表されている情報からはこの墓が具体的にどのような構造のものかはわからない。
【先行技術文献】
【特許文献】
【００１１】
【特許文献１】実用新案登録第３２０３６１４号
【特許文献２】特開平９−５３３４０
【特許文献３】特開２００５−１３９８６４
【非特許文献】
【００１２】
【非特許文献１】http://www.yasiro.jp/treeburial-backnumber.html（平成２９年６月８日現在）
【考案の概要】
【考案が解決しようとする課題】
【００１３】
本考案は、前記諸点に鑑みなされたものであって、その目的とするところは、個別の排水構造を設けることなくしてカロートを形成する樹木葬用納骨管内への水の侵入を最低限に抑え得るサークル型樹木葬集合墓を提供することにある。
【課題を解決するための手段】
【００１４】
本考案のサークル型樹木葬集合墓は、前記目的を達成すべく、第一の無端リングの形態の外周縁によって規定された基礎砕石層と、該基礎砕石層の外周部に沿い且つ該基礎砕石層の全周にわたって該基礎砕石層上に配置され内周縁が第二の無端リングにより規定された基礎コンクリート層と、蓋付で下端が前記基礎砕石層につながるように開口した筒状の樹木葬用納骨管を第二の無端リングから間隔をおいた内側に多数個リング状に前記基礎砕石層上に並べてなる樹木葬用納骨管群と、前記第二の無端リング内に位置する、前記基礎砕石層の、上面のうち前記基礎コンクリート層及び前記多数個の樹木葬用納骨管によって覆われた部分以外の部分を覆っている中央コンクリート層と、リング状の前記納骨管群よりも内側において中央コンクリート層の上面から前記基礎砕石層の下面よりも下まで延びた排水管と、前記第二の無端リングに対応する壁面により外周縁が規定された領域内で中央部が高くなり前記樹木葬用納骨管群を覆うように小山状に充填された土砂層とを有する。
【００１５】
本考案のサークル型樹木葬集合墓では、「第一の無端リングの形態の外周縁によって規定された基礎砕石層と、該基礎砕石層の外周部に沿い且つ該基礎砕石層の全周にわたって該基礎砕石層上に配置され内周縁が第二の無端リングにより規定された基礎コンクリート層と、蓋付で下端が前記基礎砕石層につながるように開口した筒状の樹木葬用納骨管を第二の無端リングから間隔をおいた内側に多数個リング状に前記基礎砕石層上に並べてなる樹木葬用納骨管群」とに加えて「前記第二の無端リング内に位置する、前記基礎砕石層の、上面のうち前記基礎コンクリート層及び前記多数個の樹木葬用納骨管によって覆われた部分以外の部分を覆っている中央コンクリート層」が設けられているので、各樹木葬用納骨管の上部及び周囲から該樹木葬用納骨管の内側への水の侵入を防ぎ得るのみでなく、更に、「リング状の前記納骨管群よりも内側において中央コンクリート層の上面から前記基礎砕石層の下面よりも下まで延びた排水管」が設けられているので、雨水等が中央コンクリート層上に溜まるのを、排水管によって排出し得るから、各樹木葬用納骨管の周囲から該納骨管の下部開口を介して該樹木葬用納骨管の内側への水の侵入をも防ぎ得る。ここで、排水管が、基礎砕石層よりも下まで延びているので、各樹木葬用納骨管の周囲から該納骨管の下部開口を介して該樹木葬用納骨管の内側への水の侵入をより確実に防ぎ得る。排水管は集まってくる水を排出できればよいので、排水管は複数の樹木葬用納骨管内を水から守るために共用され得るから、排水管の本数は、一つのサークル型樹木葬集合墓を形成する樹木葬用納骨管の数よりも十分に少なくし得る。
【００１６】
なお、中央コンクリート層上に溜まる水を効果的に排水管に導くために、中央コンクリート層の上面は排水管の方へと低くなるように全体として多少なりとも傾斜していることが好ましい。但し、水は主として充填された土砂の層を通って流れ得るので、コンクリート層の表面はなめらかでなくてもよい。
【００１７】
更に、本考案のサークル型樹木葬集合墓では、「第二の無端リングに対応する壁面により外周縁が規定された領域内で中央部が高くなり前記樹木葬用納骨管群を覆うように小山状に充填された土砂層」が設けられているが故に、中央部から周辺に向かって土壌層を崩れ落とそうとする力が働くけれども、本考案のサークル型樹木葬集合墓では、中央コンクリート層が多数個の樹木葬用納骨管を支えているので、樹木葬用納骨管の位置ズレを避け得、また、「基礎砕石層の外周部に沿い且つ該基礎砕石層の全周にわたって該基礎砕石層上に配置され内周縁が第二の無端リングにより規定された基礎コンクリート層」が設けられているので、土砂層の崩れ及び樹木葬用納骨管の位置ずれを該基礎コンクリート層が防ぎ得る。
【００１８】
なお、基礎コンクリート層が十分に高くて基礎コンクリート層の内周側表面自体が第二の無端リングに対応する壁面として働く場合には、基礎コンクリート層自体が単独で土砂の崩れ及び樹木葬用納骨管の位置ずれを防ぐ。一方、基礎コンクリート層が比較的低く該基礎コンクリート層の上に壁が建てられている場合、該壁の内側面が第二の無端リングに対応する壁面に相当する。ここで、第二の無端リングに対応する壁面は、大まかには、基礎コンクリート層の内周縁と実際上面一であるけれども、厳密に面一である必要はなく、典型的には、むしろ基礎コンクリート層の内周縁よりも多少外側に位置している。これにより、小山状の土砂層が外向きに拡がろうとする力を最下部にある基礎コンクリート層の内周縁で受け得る。但し、第二の無端リングに対応する壁面を与える壁部が十分に強固に基礎コンクリート層に支持される場合には、第二の無端リングに対応する壁面が基礎コンクリート層の内周縁よりも多少内側にあってもよい。
【００１９】
本考案のサークル型樹木葬集合墓では、典型的には、多数の周壁形成石が前記基礎コンクリート層上に全体としてリング状に配置されると共にアンカーを介して該基礎コンクリート層に固定されており、該多数の周壁形成石により形成されたリング状領域内において、前記円筒状樹木葬用納骨管群を覆うように前記土砂層が充填されている。
【００２０】
その場合、基礎コンクリート層を高くしなくても、多数の周壁形成石が土砂の崩れ及び樹木葬用納骨管の位置ずれを防ぎ得る。なお、アンカーによる固定に際して隙間には典型的にはモルタルが充填されることにより液密な固定が行われる。また、多数の周壁形成石の組立て及びモルタルの充填を容易且つ確実にすべく、典型的には、隣接する周壁形成石の対向側面の夫々の対向箇所に溝部を形成しておき該対向側面を当接させる際に該溝部から孔を形成し、該孔にアンカーピンが遊嵌されるようにしておく。但し、各周壁形成石の底面で開口する孔を形成しておいてもよい。
【００２１】
このような周壁形成石が配置される場合には、該周壁形成石の内周側表面が、前記の第二の無端リングに対応する壁面に相当し、この一群の周壁形成石が基礎コンクリート層の上に建てられる壁に相当する。ここで、周壁形成石は、典型的には、花崗岩からなり、より詳しくは、典型的には、錆石からなる。但し、所望ならば、周壁形成石が錆石以外の花崗岩又は花崗岩以外の石材で形成されていてもよい。
【００２２】
本考案のサークル型樹木葬集合墓では、典型的には、前記第一の無端リングの中央部と各樹木葬用納骨管とを結ぶ仮想線の延長上で且つ前記周壁形成石の上に氏名板が配置され、該仮想線上で該氏名板と前記納骨管との間で且つ前記小山状土砂層上に家名板が配置されている。
【００２３】
その場合、家名板によって樹木葬用納骨管内に遺骨が収容された故人の属した家名が表示され、周壁形成石の上に配置される氏名板により樹木葬用納骨管内に遺骨が収容された故人の氏名が表示されることによって、一方では骨を自然に還す樹木葬の形態を採りつつ、他方では埋葬された人の家名や氏名の表示が狭いスペース内で行われ得る。なお、氏名板に生前の氏名ではなく法名（この明細書では法名は戒名を含む意味で用いる）が記載される場合には氏名板は法名板と称し得る。従って、この明細書では、氏名板は法名板とも呼ぶ。
【００２４】
本考案のサークル型樹木葬集合墓では、前記第一の無端リングの中央部に
（１）モニュメントが配置されていても、
（２）シンボルツリーが配置されていても
よい。
【００２５】
前者（モニュメント）が配置される場合、土砂層中にモニュメントの支持構造が埋設される。
【００２６】
後者（シンボルツリー）が配置される場合、該シンボルツリーの下に排水管が配設されている。
【００２７】
これにより、シンボルツリーのところにまかれる水が根のところに確実に届くようにすると共に、根が異常に張り出して周囲の樹木葬用納骨管を傾けたり位置ズレさせたりする虞れを最低限に抑える。
【００２８】
このサークル型樹木葬集合墓では、樹木葬用納骨管群を構成する各樹木葬用納骨管が例えば、直径が３０ｃｍ程度で深さが６０ｃｍ程度の蓋付きで有孔底付円筒状管からなる場合、四人程度までの遺骨を収容可能である。その場合、四人を順次納骨するとすると、例えば親子二世代が対象となり、数１０年程度経過して蓋を開けて四人目の遺骨を納骨することが考えられ、樹木葬形式とはいえ、相当長期間納骨管内の納骨スペース（カロート）が水濡れや湿気によるカビ等の過度な増殖が抑えられることが望まれる。この観点で見ても、このサークル型樹木葬集合墓では、完全は期し難いものの、カロートへの雨水等の侵入を極力抑えることにより、多少なりとも苔やカビ等の増殖が抑えられることが期待される。
【００２９】
また、この樹木葬用納骨管が比較的大きいことから、例えば、世代替わりによる田舎から都会への完全移住に伴って改葬をして墓を居住地近くに移す場合に、このサークル型樹木葬集合墓のうちの一つ又はそれ以上の部分を改葬後の墓として選ぶこともあり得る。このとき、改葬される墓の遺骨は嵩が少なくなっていたり世代を遡る程関係が希薄になることから、一つの樹木葬用納骨管内に５人以上の先祖の遺骨を納骨したり、一つの樹木葬用納骨管内に先祖代々の全ての遺骨を納めて先祖代々の墓とすることもあり得、逆に、一つのサークル型樹木葬集合墓の全体を一族の墓とすることもあり得る。一つのサークル型樹木葬集合墓の樹木葬用納骨管群を構成する納骨管の数は、後で説明する実施例では１６本であるけれども、これよりも多くしても、少なくしてもよく、特に少ない場合、６〜８本程度又はそれより多くても、それより少なくてもよい。
【図面の簡単な説明】
【００３０】
【図１】本考案の好ましい一実施例のサークル型樹木葬集合墓を示したもので、（ａ）は平面説明図、（ｂ）は（ａ）のＩＢ−ＩＢ線断面説明図。
【図２】図１の（ｂ）の図を拡大して示したもので、図１の（ａ）のＩＢ−ＩＢ線拡大断面説明図。
【図３】図１のサークル型樹木葬集合墓の斜視説明図（但し、張石よりも外側の部分は省いてある）。
【図４】図１のサークル型樹木葬集合墓の建設ないし設営途中の状態を示したもので、図１の（ａ）と同様な平面説明図。
【図５】図１のサークル型樹木葬集合墓の建設ないし設営途中の状態を示したもので、（ａ）は図４のＶＡ−ＶＡ線拡大断面説明図、（ｂ）は（ａ）の状態より前で周壁形成石として錆石を配設する前の状態についての（ａ）と同様な拡大断面説明図（この例では、張石も張られていないけれども、張石や縁石は、納骨管を並べたり中央コンクリート層を張る前に敷設されていてもよい）。
【図６】図１のサークル型樹木葬集合墓の構成部品である周壁形成石及び氏名板等を示したもので、（ａ）は周壁形成石及び氏名板等の平面説明図、（ｂ）は（ａ）において矢印ＶＩＢ方向に見た周壁形成石及び氏名板等の正面説明図、（ｃ）は（ａ）の矢印ＶＩＣ方向に見た周壁形成石及び氏名板等の左側面説明図。
【図７】図１のサークル型樹木葬集合墓の他の構成部品を示したもので、（ａ）は張石の平面説明図、（ｂ）は（ａ）において矢印ＶＩＩＢ方向に見た張石の正面説明図、（ｃ）は家名板の左側面説明図、（ｄ）は樹木葬用納骨管の断面説明図。
【図８】本考案の別の好ましい一実施例のサークル型樹木葬集合墓を示したもので、（ａ）は図１の（ａ）と同様な平面説明図、（ｂ）は（ａ）のＶＩＩＩＢ−ＶＩＩＩＢ線断面説明図。
【図９】従来のサークル型樹木葬集合墓の斜視説明図。
【考案を実施するための形態】
【００３１】
本考案の好ましい実施の形態のいくつかを添付図面に示した好ましい実施例に基づいて説明する。
【実施例】
【００３２】
本考案の好ましい一実施例のサークル型樹木葬集合墓１は、図１の（ａ）及び（ｂ）、図２、並びに図３に示したように、全体としてサークルないし環Ａを形成するように環状に配置された１６個の樹木葬墓２を有する。この一実施例のサークル型樹木葬集合墓１の大きさを実感できるように、以下では、いくつかの要素について、長さの一例を示すけれども、各要素の大きさはより大きくても小さくてもよい。
【００３３】
サークル型樹木葬集合墓１は、点Ｃｎを中心とする第一の円Ｃ１に外周縁１２が規定された領域Ｚ１の全域に厚さＤ１に亘って形成された基礎砕石層１０を有する。円Ｃ１の直径は例えば３．５ｍ程度である。サークル型樹木葬集合墓１において、基準地表面は、図２、並びに図５の（ａ）及び（ｂ）において、想像線ＧＬで示す位置であり、基礎砕石層１０の底１５は基準地表面ＧＬから深さＤ２の位置にある。すなわち、基準地表面ＧＬから深さＤ２まで点Ｃｎを中心とする第一の円Ｃ１の領域Ｚ１を掘下げてなる凹部６を形成し、該凹部６の内周面６ａ及び底面６ｂによって規定される領域Ｚ１の大半の部分に厚さＤ１に亘って砕石１１を充填することにより、基礎砕石層１０を形成している。すなわち、基礎砕石層１０の外周縁１２は点Ｃｎを中心とする第一の無端リングとしての第一の円Ｃ１によって規定されている。この砕石層１０を構成する砕石１１は、典型的には大半が数ｃｍ程度の粒径の石からなり、水や空気の流通を容易にしている。但し、粒径はより大きくても小さくてもよい。なお、基準地表面ＧＬが相対的にみてより高い位置にあってもより低い位置にあってもよい。
【００３４】
図１の（ａ）及び（ｂ）並びに図２のサークル型樹木葬集合墓１に加えて該墓１の建設ないし設営途中の状態を表した図５の（ａ）及び（ｂ）に示したように、基礎砕石層１０上には、外周縁２１が点Ｃｎを中心とする第一の無端リングとしての第一の円Ｃ１で内周縁２３が点Ｃｎを中心とする第二の無端リングとしての第一の正１６角形ＰＧ１の形態を採るように、基礎コンクリート層２０が形成されている。従って、基礎コンクリート層２０の外周面２１は基礎砕石層１０の外周面１２と同様に凹部６の内周面６ａと密接している。凹部６の周面６ａと密接し得る限り、外周縁２１が多角形（例えば正１６角形）であってもよく、また内周縁２３が多角形の代わりに円形であってもよい。また、凹部６の周面６ａと密接し得る限り、基礎コンクリート層２０の外周面２１と基礎砕石層１０の外周面１２とが面一でなくてもよい。なお、基礎コンクリート層２０の上面２２は、点Ｃｎを中心とする第二の正１６角形ＰＧ２と円Ｃｆとの間の中間環状領域２２ｂでは第一及び第二の正１６角ＰＧ１，ＰＧ２の間の内側環状領域２２ａよりも高さＤｈだけ下がっており、また円Ｃｆ，Ｃ１の間の外側環状領域２２ｃでは内側環状領域２２ａよりも高さＤｆだけ下がっている。更に、基礎コンクリート層２０の下面２４は、円Ｃ１，Ｃｆの間の外側環状領域２４ｂでは、第一の正１６角形ＰＧ１と円Ｃｆとの間の内側環状領域２４ａよりも高さＤｋだけ下がっている。基礎コンクリート層２０の上面２２のうち内側環状領域２２ａは基準地表面ＧＬと実際上一致し、基礎砕石層１０は、基礎コンクリート層２０の下面２４の内側環状領域２４ａ及び外側環状領域２４ｂの下方への突出を補償するように、その厚さが薄くなっている。但し、基礎コンクリート層２０の薄い部分でもその強度が十分に保たれる場合には、下面２４は平面であってもよい。
【００３５】
基礎コンクリート層２０の上面２２うち中間環状領域２２ｂ上には、１６枚の張石２６が張付けられている。張石２６は、図７の（ａ）及び（ｂ）に示したように、厚さＤｈの薄板２６ａの形態で、薄板２６ａは直線状（平面状）の内側側縁２６ｂと、円Ｃｆを１６等分してなる円弧の形態の外側側縁２６ｃと、直線状（平面状）の両側側縁２６ｄ，２６ｅとを備える。両側側縁２６ｄ，２６ｅが内側側縁２６ｂとなす角αは１０１°１５′で、１６枚の張石２６が全体として相補的形状をなす中間環状領域２２ｂに丁度嵌め込まれて張付けられている。張石２６は、直線状内側側縁２６ｂの長さが例えば５６．５ｃｍ、直線状の両側側縁２６ｄ，２６ｅの長さが例えば３０．２ｃｍ、厚さが例えば４．５ｃｍである。
【００３６】
基礎コンクリート層２０の上面２２のうち外側環状領域２２ｃ上には、多数個の縁石２８が全体として概ね円環をなすように配置され固着されている。この例では、縁石２８は、例えば、直方体状のレンガからなり、隣接するレンガ２８，２８の間やレンガ２８と基礎コンクリート層２０の中間環状領域２２ｂの外周面との間に多少残る隙間にはモルタルが詰められている。
【００３７】
基礎砕石層１０上で第一の正１６角形ＰＧ１をなす基礎コンクリート層２０の内周面２３から中心Ｃｎ側に間隔をおいたところに、１６個の樹木葬用納骨管３０が周方向に相互に数ｃｍ程度の間隔をおいてリング状に立設されて納骨管群３を構成している。納骨管３０の中心とサークル型樹木葬集合墓１の中心Ｃｎとの間隔は例えば８１．９ｃｍであり、納骨管３０の中心と基礎コンクリート層２０の内周面２３との間隔は例えば４０ｃｍである。この間隔はより大きくても小さくてもよい。なお、納骨管３０は、図１の（ｂ）や図２等に示したように下端部３１ａが基礎砕石層１０に多少押し込まれることにより設営時の載置安定性が高められている。但し、納骨管３０が配設位置で十分強固に保持され得る限り、基礎砕石層１０の上面１４上に単に載置されていてもよい。
【００３８】
納骨管３０は、図７の（ｄ）の拡大断面説明図に示したように、上下端部３１ｂ，３１ａが開口した直径が例えば３０ｃｍで長さが例えば６０ｃｍのプラスチック製の円筒の形態の納骨管本体３１と、該納骨管本体３１の上端開口を閉じる蓋３２とを有する。図１の（ｂ）や図２において想像線で示したように空気を通し易い布袋Ｂに遺骨を入れた状態でこの納骨管本体３１内の納骨スペースないしカロート３６に納骨することを想定した場合、この納骨スペース３６には４人程度の遺骨の納骨が可能である。但し、納骨管３０の径や長さはより大きくてもより小さくてもよく、場合によっては、納骨管群３を構成する納骨管３０の径が一種類でなくてもよい（その場合は基礎コンクリート層２０の部分を含めて各種関連要素が正１６角形ではなく長さや角度の異なる１６角形であってもよい）。また、納骨管群３を構成する納骨管３０の数は、１６個よりも少なくても多くてもよく、更に、納骨管群３により形成される多角形は、該納骨管群３を形成する納骨管３０の数と異なっていてもよく、例えば、多数の納骨管３０により全体として六角形や四角形等を形成するようになっていてもよい。その場合は、典型的には基礎コンクリート層２０の部分を含めて各種関連要素が六角形や四角形等の同様な多角形をなす。
【００３９】
各納骨管３０の上部開口３１ｃは蓋３２で開閉され、該蓋３２は、納骨管本体３１の上端開口３１ｃを閉じる蓋本体３３と開閉の際に該蓋本体３３を手で掴むための把手３４とを有する。納骨管本体３１の下端開口３１ｄのところには、多数の小さい貫通孔３５ａを備えた底部材ないし底板３５が取付けられている。従って、納骨管３０の納骨スペース（カロート）３６は、底部材３５の貫通孔３５ａを介して基礎砕石層１０につながっている。貫通孔３５ａは、空気の十分な流通を許容するように、複数の貫通孔３５ａを合わせた全体の実効断面積が大きく且つ長さが短い。なお、底部材３５の上には、小さな砕石３７が敷設されている。小砕石３７の粒径は概ね底部材３５の小開口３５ａよりも大きい。
【００４０】
なお、納骨管本体３１の下端開口３１ｄのところに底部材３５を設けなくてもよい。その場合、基礎砕石層１０のうち納骨管群３を配置する環状領域に予め小砕石３７を敷設しておくか又は基礎砕石層１０上に１６個の納骨管本体３１を立設した後小砕石３７を各納骨管本体３１内の納骨スペース（カロート）３６の底に入れる。
【００４１】
いずれの場合でも、納骨スペース３６は、小砕石３７の層及び底壁３５の多数の孔（小開口）３５ａを介して数１０ｃｍの厚さを有する基礎砕石層１０に直接つながっているので、納骨スペース３６の湿気が過剰になるのを最低限に抑え得る。また、納骨スペース３６が小砕石３７の層及び基礎砕石層１０を介して土につながっているので、納骨スペース３６内に布製の遺骨収容袋Ｂに入れて納められる遺骨が自然に還るのを容易にしている。
【００４２】
基礎砕石層１０には、リング状の前記納骨管群３よりも内側（中心Ｃｎに近い側）において４本の排水管４０が埋設されている。排水管４０は、直径が例えば２０ｃｍで長さが例えば３０ｃｍの円筒体の形態の本体部４１からなり、該本体部４１が基礎砕石層１０を上下に貫通して延び、上端部４２が基礎砕石層１０の上面１４よりも長さＬａだけ突出し、下端部４３が基礎砕石層１０の下面１５よりも長さＬｂだけ突出している。排水管４０の上端部４２の開口部４２ａには、土砂が排水管４０に入り込むのを防ぐと共に雨水が排水管４０内に入るのを許容するための多数の小孔４４ａ付き蓋４４が取付けられている。小孔４４ａは、円形孔のような孔であっても格子のような細長い孔であってもよい。
【００４３】
基礎コンクリート層２０の１６角形の内周面２３によって囲まれた基礎砕石層１０の上の領域Ｚ２のうち、１６本の納骨管３０及び４本の排水管４０以外の全領域Ｚ３には、厚さＤ３の中央コンクリート層４５が形成されている。ここで、中央コンクリート層４５の厚さＤ３は、排水管４０の上端部４２の突出長Ｌａと同程度又は該突出長Ｌａよりも多少大きい（Ｄ３≧Ｌａ）。
【００４４】
下面４５ｂが基礎砕石層１０の表面に密着して固着された中央コンクリート層４５の上面４５ａは概ね水平である。より詳しくは、中央コンクリート層４５の上面４５ａは排水管４０の上端部４２の上端開口４２ａないし孔４４ａ付き蓋４４のあるところに向かって多少傾斜して下がっている。また、中央コンクリート層４５は、基礎コンクリート層２０の内周面２３に密着して固着されていて中央コンクリート層４５と基礎コンクリート層２０との間から雨水が下に漏出するのを防ぎ、且つ納骨管３０の本体３１の外周面に密着して固着されていて該納骨管本体３１の外周面と基礎コンクリート層２０との間から雨水が基礎砕石層１０に入り込むのを防いでいる。
【００４５】
従って、中央コンクリート層４５上に溜まる雨水等は４本の排水管４０の上端開口４２ａにある蓋４４の小孔４４ａに流れ込み、該排水管４０を介して基礎砕石層１０よりも下の地中に放出される。その結果、納骨管３０の本体３１内の納骨スペース３６に雨水が侵入したり該スペース内が結露したりする虞れを最低限に抑え得る。なお、排水管４０の下端部４３の基礎砕石層１０の下面１５から下方への突出長Ｌｂは、基礎砕石層１０の下の地層を構成する土質ないし地質に応じて選択され、場合によっては、墓１の墓域の外に延びた排水管につながるようになっていてもよい。
【００４６】
また、中央コンクリート層４５は各納骨管３０を載置位置に固定することにより、後述するように小間隙を介して１６角形に配設された１６本の納骨管３０が土砂中に埋設される際に多量の土砂により納骨管３０が点Ｃｎを中心として径方向外向きの力を受けて傾いたり位置ズレするのを防ぐ。
【００４７】
基礎コンクリート層２０の上には、シート状の耐震ラバー６８を介して１６個の周壁形成石として錆石６０が載置され、各錆石６０はアンカー２９，２９を介して基礎コンクリート層２０に固定されている。なお、周壁形成石６０は、錆石の代わりに他の花崗岩であってもよく、また、花崗岩以外の石材であってもよい。錆石６０は、図６の（ａ）〜（ｃ）に示したように、平面形状が台形で、正面及び側面形状が長方形をなす。第二の無端リングＰＧ１に対応する壁面としての、錆石６０の、内周側表面（背面）６０ｂは、基礎コンクリート層２０の内周面２３よりもわずかに中心Ｃｎから離れて外側に位置しており、１６個の錆石６０の内周側表面６０ｂは第二の無端リングＰＧ１としての基礎コンクリート層２０の内周面２３と相似である正１６角形ＰＧ３をなす。但し、錆石６０の内周側表面（背面）６０ｂが基礎コンクリート層２０の内周面２３と面一になっていても、あるいは内周面２３よりも内側（中心Ｃｎに近接した側）にあってもよい。なお、錆石６０の本体部分の内周側表面に他の平板状部材等が取付けられている場合には、正１６角形ＰＧ３をなす１６個の錆石６０の内周側表面（背面）とは、錆石６０の本体部分の内周側表面ではなく当該他の平板状部材を含む錆石構造体６０の内周側表面（背面）６０ｂを指す。
【００４８】
より詳しくは、錆石６０においては、外周側表面（正面）６０ａ、内周側表面（背面）６０ｂ，及び左右両側面６０ｃ，６０ｄが長方形で、頂面６０ｅ及び底面６０ｆが同一形状の台形をなす。両側面６０ｃ，６０ｄと内周側表面（背面）６０ｂとがなす角は同一で、前述の張石２６の場合の角αと同様にα＝１０１°１５′であり、１６個の錆石６０の対向する隣接側面６０ｃ，６０ｄが突き合わされて、全体として、点Ｃｎを中心とする正１６角形をなす。錆石６０は、外周側表面６０ａの幅が例えば５８．５ｃｍ、内周側表面６０ｂの幅が例えば４８．５ｃｍ程度、厚さ（内外周側表面間の間隔）が例えば２５ｃｍ、高さが例えば４５ｃｍ程度である。錆石６０の両側面６０ｃ，６０ｄの前後方向中央部には、底面６０ｆから上向きに延びた溝状の切欠凹部６１ａ，６１ｂが形成されており、これらの溝状切欠凹部６１ａ，６１ｂは、錆石６０の隣接ないし対向側面６０ｃ，６０ｄが突き合わされた際に協働して一つの孔６１を形成し、該孔６１内に、基礎コンクリート層２０の対面部分から突設されたステンレス製のアンカーピン２９を遊嵌させると共に残る隙間にモルタル６２を詰める（作業手順としては孔６１を形成する溝状切欠凹部６１ａ，６１ｂにモルタルを入れておいた状態で該孔６１にアンカーピン２９を遊嵌してもよい）。従って、モルタル６２が乾くと、１６個の錆石６０の各々は、その隣接側面６０ｃ，６０ｄが突き合わされた状態で、モルタル６２を介してその両側に嵌った一対のアンカーピン２９，２９により位置規制され固定される。即ち、モルタル６２及びアンカーピン２９が錆石６０，６０の孔６１（切欠凹部６１ａ，６１ｂ）内で錆石６０，６０の相対変位を禁止するので、各錆石６０が、（後で詳述するように）１６個の錆石６０の内周側表面６０ｂにより形成される正１６角形ＰＧ３の形態の角柱領域内に詰め込まれる土砂層８０ａによって中心Ｃｎから外向きの力を受けても、該外向きの力に抗して土砂層８０ａを支え得る。
【００４９】
また、各アンカーピン２９と錆石６０，６０の隣接側面６０ｃ，６０ｄの溝状切欠凹部６１ａ，６１ｂとの間に充填されたモルタル６２によって該錆石６０，６０の隣接側面６０ｃ，６０ｄ間が塞がれ、且つ各錆石６０の底面６０ｆと基礎コンクリート層２０の上面４５ａとの間に敷かれた耐震ラバー６８によって錆石６０と基礎コンクリート層２０との間が塞がれるので、サークル型樹木葬集合墓１の周囲の雨水等が該墓１の内側に流れ込むのを最低限に抑制し得る。
【００５０】
また、各錆石６０がモルタル６２及びアンカーピン２９を介して基礎コンクリート層２０に固定され、且つ側面６０ｃ，６０ｄにおいて隣接錆石６０，６０の隣接側面６０ｄ，６０ｃと密接せしめられた状態で１６個の一群の錆石６０の全体として正１６角形をなしているので、地震による横揺れを実際上どの方向に受けても、１６個の錆石６０が正１６角形を崩すことなく全体として一体的に変位され得るから、各錆石６０，６０間のモルタル６２が崩れる虞れも少ない。
【００５１】
各錆石６０の頂面６０ｅ上（即ち、リングＣ１の中心Ｃｎと任意の樹木葬用納骨管３０ｉの中心とを結ぶ仮想線Ｌｉの延長上で且つ錆石６０ｉの頂面６０ｅの上）には、氏名板ないし法名板６５（即ち氏名板ないし法名板６５ｉ）が載置・固定されている。ここで、各錆石６０は埋葬される人の氏名や法名が刻まれる氏名板（法名板）６５を支える台石としても働く。氏名板６５は、図６の（ａ）〜（ｃ）に示したように、平面形状が長方形で、錆石６０の頂面６０ｅよりも少し小さく、内周側側面（背面）６５ｂが外周側側面（正面）６５ａよりも高く、上面６５ｃは手前側（外周側）が下がるように傾斜している。納骨された人の氏名又は法名が氏名板ないし法名板６５の上面６５ｃに順次書き込まれる。氏名板（法名板）６５は、長さが例えば３８．６ｃｍ程度、幅が例えば２３ｃｍ、内周側側面６５ｂの高さが例えば５ｃｍである。
【００５２】
サークル型樹木葬集合墓１の中心Ｃｎを含む中央部には、サークル型樹木葬集合墓１のシンボルをなすモニュメント７０が設けられており、該モニュメント７０は、中央コンクリート層４５の中央部４５ｃに支えられた基礎構造部７１と、該基礎構造部７１の上に設けられた台座７４と、該台座７４の上に立設されたモニュメント本体７５とを備える。なお、基礎構造部７１は、モニュメント７０の本体７５を支えるべく、基礎コンクリート層４５に直接固定された基部を含み得る。
【００５３】
サークル型樹木葬集合墓１の中央コンクリート層４５よりも上で且つ１６個の錆石６０の内側表面６５ｂによって囲まれた１６角柱状の内部領域Ｓ１には、１６本の納骨管３０の上端の蓋３２を覆うように、且つ錆石６０の内側表面６５ｂの上端部からモニュメント７０の基礎構造部７１の上端部７１ａまで中心点Ｃｎのある中央部程高くなるような古墳状小山８０を形成するように、土砂８０ａが充填されている。この古墳状ないし小山状の土砂層８０ａの充填の際に、納骨管３０が土砂８０ａによって外向きに押され易いけれども、アンカーピン２９及びモルタル６２を介して基礎コンクリート層２０により支えられた１６個の錆石群６０が土砂層８０ａが崩れるのを防ぎ、且つ中央コンクリート層４５が１６本の納骨管３０が倒れたり位置ずれしたりするのを防ぐ。なお、例えば、１６本の納骨管３０とモニュメント７０の基礎構造部７１との間の内側領域Ｓ２に土砂を入れる際には１６本の納骨管３０の全体を取り囲むようにロープ等で支えておくことにより、納骨管３０が外向きに傾くのを防ぐようにしてもよい。モニュメント７０は基礎構造部７１の直径が例えば７０ｃｍ、地上部分の高さが例えば１００〜１５０ｃｍである。
【００５４】
小山８０の傾斜表面８１には玉竜８２が敷設され、また、傾斜表面８１のうち氏名板６５と該氏名板６５に対応する納骨管３０との間の領域８１ａ（即ち、仮想線Ｌｉ上で錆石６０ｉと納骨管３０ｉとの間）には、家名板６７（即ち家名板６７ｉ）が配設されている。家名板６７は、図７の（ｃ）に示したように、手前側（外周側）側面６７ａが奥側（内周側）側面６７ｂよりも低く外周側に向かって傾斜した長方形の上表面６７ｃを有し、該上表面６７ｃに埋葬される人の家名が例えば「ＸＸ家」の如く刻まれる。家名板６７は、手前側側面６７ａと奥側側面６７ｂとの間隔が例えば１０ｃｍ、手前側側面６７ａの高さが例えば３ｃｍ、奥側側面の高さが例えば６．６ｃｍ、上表面６７ｃの平面状領域の奥行が例えば１０ｃｍである。
【００５５】
更に、小山８０の傾斜表面８１のうち、モニュメント７０の台座７４の周囲の中央領域８１ｂには、白玉石８３が敷かれると共に五色南天８４が植えられ、所々に影石８５が配設されている。
【００５６】
以上の如く構成されたサークル型樹木葬集合墓１では、シンボルとなるモニュメント７０を中心として多数（この場合１６個）の樹木葬墓２がリング状に配置されていることになる。ここで、各樹木葬用墓２は、モニュメント７０のある点Ｃｎを中心とする扇形領域のうち、図１の（ａ）において一つの錆石６０、一つの法名板（氏名板）６５、一つの家名板６７、及び埋設された一つの納骨管３０を含み、太い想像線Ｔｉで囲んだ台形Ｚｉの領域からなる。即ち、各樹木葬墓２では、家名板６７に「ＸＸ家」と刻まれた「家」毎に、最大で四人までの遺骨が納骨管３０に納骨され、法名版（氏名板）６５に、各家族の意向に沿って故人の法名又は生前の氏名が刻まれる。
【００５７】
なお、納骨の際は、事前に、対象となる樹木葬墓２の家名板６７の奥に位置し平面図で見て納骨管３０ｉを含む破線Ｚｉ１で示した台形領域に敷設された玉竜層８２を切り取ると共に土砂層８０ａのうち当該台形領域Ｚｉ１内の土砂を取り除いて埋設されていた納骨対象の納骨管３０の蓋３２を含む上部を露出させ、蓋３２を持ち上げて管本体３１の上端部３１ｂの開口３１ｃを開いておき、更に予め遺骨を収納しておいた布製の袋Ｂを読経の中で納骨管３０の本体３１内の納骨スペース（カロート）３６に入れ、蓋３２を閉じ、納骨管３０を土砂で埋め、切り取っておいた玉竜層８２を元の位置に戻すように再度その上に被せる。
【００５８】
このサークル型樹木葬集合墓１においては、一方では、各樹木葬用墓２の納骨管３０が地中に埋設され且つ該納骨管３０は下端開口３５ａを介して基礎砕石層１０と直接つながっているので、布製の袋Ｂに入れた状態で納骨管３０の納骨スペース（カロート）３６に納められた遺骨が自然に還り易く、樹木葬ならではの死者に対する弔いが担保され得、他方では、数１０〜数１００個の納骨管を規則的に埋設していた種類の従来の樹木葬墓域と異なって納骨対象となる納骨管３０が家名板６７や法名板（氏名板）６５と対になっているので、樹木葬用墓２でありながら、従来の一般墓と同様な供養を行ない得る。
【００５９】
また、このサークル型樹木葬集合墓１では、基礎砕石層１０上に形成された基礎コンクリート層２０のリング状ないし１６角形ＰＧ１の内周面２３によって囲まれた領域Ｚ２のうち納骨管３０の群３及び排水管４０以外の領域Ｚ３が全て基礎コンクリート層４５によって覆われているので、サークル型樹木葬集合墓１の古墳状の小山８０に降った雨水や該小山８０の玉竜８２や五色南天８４等の植物に対する潅水等が小山８０の土砂中に浸透しても、当該浸透水は排水管４０の上端の蓋４４のところに集まり、蓋４４の多数の小孔４４ａ及び排水管４０を介して排出される。
【００６０】
なお、サークル型樹木葬集合墓１では、排水管４０が基礎砕石層１０を貫通し該排水管４０の下端部４３が基礎砕石層１０の最下面１５よりも十分下まで延びているので、雨水等は排水管４０によってサークル型樹木葬集合墓１の納骨管３０の納骨室３６内で袋Ｂ納められた遺骨に悪影響を与える虞れのない離れたところに放出され得る。また、このサークル型樹木葬集合墓１では、納骨管３０の下端の開口３５ａは実際上基礎砕石層１０の上面１４のところに開口しているので、仮に排水管４０の下端から排出された雨水等が基礎砕石層１０の下面１５のところに上がってきても、数１０ｃｍと十分な厚さがあり水や空気の自由な流通を許容する基礎砕石層１０によってその水が四散せしめられ得るので、納骨管３０の納骨室３６に水が入ったり湿気が溜まる虞が最低限に抑えられ得る。
【００６１】
すなわち、このサークル集合墓１では、各樹木葬墓２毎に個別の排水構造を設けなくても、カロート３６を形成する樹木葬用納骨管群３の多数の樹木葬用納骨管３０内への水の侵入を最低限に抑え得る。
【００６２】
なお、この例では、排水管４０の数が４本であるけれども、５本以上であっても、３本以下であってもよい。また、排水管４０は効率的排水の観点から点Ｃｎを中心とする一つの円に沿って周方向に等間隔に設けられているけれども、周方向にみて対称性を欠くような条件下である場合（例えば、季節風や周囲の地形等の外部要因やモニュメントの形状等の集合墓１自体に起因する内部要因がある場合）は、周方向に非対称に配置されていてもよく、また、中心Ｃｎからの長さの異なる箇所に排水管４０が分布せしめられていてもよい。いずれの場合でも、排水管４０は多数の納骨管３０に共用され得るので、排水管４０の数は納骨管３０の数よりもはるかに少数に抑え得る。
【００６３】
更に、このサークル型樹木葬集合墓１では、全周が基礎コンクリート層２０で囲まれ、且つ該基礎コンクリート層２０とその上の錆石６０との間にはシート状の耐震ラバー６８が敷かれ且つ全体としてリングを形成するように配設された錆石６０は、該錆石６０の隣接側面の下半分に形成された溝状切欠凹部６１ａ，６１ｂにより形成される孔６１に基礎コンクリート層２０の上面から突設されたアンカーピン２９を挿設すると共にアンカー２９と孔６１との間にモルタルの如きセメントを充填することにより、錆石６０を固定しているので、錆石６０が地震等によっても倒れることなく強固に支えられ得る。
【００６４】
従って、１６個からなる一群の錆石６０の内周側表面６０ｂにより規定される１６角形ＰＧ３の柱状領域内の土砂層８０ａが外側に崩れ落ちるのを該一群の錆石６０によって防ぎ、納骨管群３の多数の納骨管３０が外向きに傾くのを防ぎ、基礎コンクリート層２０による納骨管３０の固定を支える。
【００６５】
加えて、このサークル型樹木葬集合墓１では、全周が基礎コンクリート層２０で囲まれ、該基礎コンクリート層２０とその上の錆石６０との間に敷かれたシート状の耐震ラバー６８により基礎コンクリート層２０と錆石６０との間が実際上シールされ、更に、全体としてリングを形成するように配設された錆石６０の隣接側面６０ｃ，６０ｄの溝状切欠凹部６１ａ，６１ｂにより形成された孔６１とアンカーピン２９との間に充填されたモルタルによって錆石６０の隣接側面６０ｃ，６０ｄの間がシールされているので、サークル型樹木葬集合墓１の周辺領域から雨水等が入り込む虞れも少ない。なお、このサークル型樹木葬集合墓１は、基準地面ＧＬと合わせた高さ位置に形成されているけれども、その代わりに、サークル型樹木葬集合墓１を基準地面ＧＬよりも高いところに形成してもよく、場合によっては、基準地面ＧＬよりも低いところに形成してもよい。
【００６６】
なお、サークル型樹木葬集合墓の中央のシンボルとしては、人工のモニュメント７０の代わりに、図８の（ａ）及び（ｂ）に示したように、文字通り自然の樹木９０であってもよい。別の好ましい一実施例の図８の（ａ）及び（ｂ）のサークル型樹木葬集合墓１Ａは、モニュメント７０の代わりに自然の樹木からなるシンボルツリー９０が中央部に植えられている点を除いて、図１〜図７のサークル型樹木葬集合墓１と同様に、構成されている。
【００６７】
サークル型樹木葬集合墓１Ａでは、シンボルツリー９０の根の部分９１を取り囲むように、排水管９５が設けられて、シンボルとなる樹木９０への潅水の際根の部分９１に水が確実にいきわたるのを助け、且つ根が過度に広がって納骨管３０を傾けたり移動させたりするのを防いでいる。その他の点は、図１〜図７において、サークル型樹木葬集合墓１について説明したことが実際上そのままこのサークル型樹木葬集合墓１Ａに当てはまる。
【符号の説明】
【００６８】
１，１Ａ  サークル型樹木葬集合墓
２    樹木葬墓
３    樹木葬用納骨管群
６    凹部
６ａ  内周面
６ｂ  底面
１０    基礎砕石層
１１    砕石
１２    外周面
１４    上面
１５    底（下面）
２０    基礎コンクリート層
２１    外周面
２２    上面
２２ａ  内側環状領域
２２ｂ  中間環状領域
２２ｃ  外側環状領域
２３    内周面
２４    下面
２４ａ  内側環状領域
２４ｂ  外側環状領域
２６    張石
２６ａ  薄板
２６ｂ  内側側縁
２６ｃ  外側側縁
２６ｄ，２６ｅ  両側側縁
２８    縁石（レンガ）
２９    アンカーピン
３０，３０ｉ  樹木葬用納骨管
３１    納骨管本体
３１ａ  下端部
３１ｂ  上端部
３１ｃ  上端開口
３１ｄ  下端開口
３２    蓋
３３    蓋本体
３４    把手
３５    底部材
３５ａ  貫通孔
３５ａ  小開口
３６    納骨スペース（カロート）
３７    小砕石
４０    排水管
４１    本体部
４２    上端部
４２ａ  開口部（上端開口）
４３    下端部
４４    蓋
４４ａ  小孔
４５    中央コンクリート層
４５ａ  上面
４５ｂ  下面
４５ｃ  中央部
６０，６０ｉ  錆石（周壁形成石）
６０ａ  外周側表面（正面）
６０ｂ  内周側表面（背面）（第二の無端リングに対応する壁面）
６０ｃ，６０ｄ  側面
６０ｅ  頂面
６０ｆ  底面
６１    孔
６１ａ，６１ｂ  溝状切欠凹部
６２    モルタル
６５，６５ｉ  法名板（氏名板）
６５ａ  外側表面
６５ｂ  内側表面
６５ｃ  上面
６７，６７ｉ  家名板
６７ａ，６７ｂ  側面
６７ｃ  上表面
６８    耐震ラバー
７０    モニュメント
７１    基礎構造部
７１ａ  上端部
７４    台座
７５    モニュメント本体
８０    小山
８０ａ  土砂層
８１    傾斜表面
８１ａ  領域
８１ｂ  中央領域
８２    玉竜
８３    白玉石
８４    五色南天
８５    影石
９０    樹木
９０    シンボルツリー
９１    根の部分
９５    排水管
Ａ    円環
Ｂ    布製の遺骨収容袋
Ｃ１    第一の円（第一の無端リング）
Ｃｆ    円
Ｃｎ    中心点
Ｄ１    基礎砕石層の最厚部の厚さ
Ｄ２    基準地表面から基礎砕石層の底までの深さ
Ｄ３    中央コンクリート層の厚さ
ＧＬ    基準地表面
Ｌａ    排出管の上端の基礎砕石層の上面よりも上への突出長
Ｌｂ    排出管の下端の基礎砕石層の下面よりも下への突出長
Ｌｉ    仮想線
ＰＧ１  基礎コンクリート層の内面により規定される第一の正１６角形（形成面）（第二の無端リング）
ＰＧ２  基礎コンクリート層の上面の内側領域の外縁により規定される第二の正１６角形（形成面）
ＰＧ３  錆石の内面により規定される正１６角形（形成面）
Ｓ１    基礎コンクリート層よりも上の土砂層部分のうち錆石の内面よりも内側に位置する内部領域
Ｓ２    基礎コンクリート層よりも上の土砂層部分のうち納骨管群よりも内側に位置する内側領域
Ｔｉ    太い想像線で示した各樹木葬墓領域
Ｚ１    基礎砕石層の外周縁よりも内側で基礎砕石層が拡がっている領域
Ｚ２    基礎砕石層の上面のうち基礎コンクリート層の内周面により規定された領域
Ｚ３    基礎砕石層の上面のうち基礎コンクリート層の内周面により規定された領域のうちで納骨管及び配水管のない領域（中央コンクリート層の拡がっている領域）
Ｚｉ    各樹木葬墓の範囲を示す台形領域
Ｚｉ１  納骨の際に取り除かれるべき領域
α    角度
【図１】
0003212073.tif 000003
【図２】
0003212073.tif 000004
【図３】
0003212073.tif 000005
【図４】
0003212073.tif 000006
【図５】
0003212073.tif 000007
【図６】
0003212073.tif 000008
【図７】
0003212073.tif 000009
【図８】
0003212073.tif 000010
【図９】
0003212073.tif 000011